(57)【要約】【課題】比較的安価に製造でき、漂流物が引っ掛かった際にも転倒し難い避難用構造物の提供。【解決手段】複数の支柱４と、支柱４の上部に支持された避難用ステージ５と、避難用ステージ５上に上るための昇降手段６とを備えた避難用構造物１であって、支柱４下部に支柱４と一体に貯液槽３を設けた。【選択図】        図１
2010285801.tif 000002
【特許請求の範囲】
【請求項１】
複数の支柱と、該支柱の上部に支持された避難用ステージと、該避難用ステージに昇降するための昇降手段とを備えた避難用構造物であって、
前記支柱下部に該支柱と一体に貯液槽を設けたことを特徴とする避難用構造物。
【請求項２】
前記貯液槽は、地盤上に設置され、
前記貯液槽の下面と地盤との間に水が入り込むことを防止するように、前記貯液槽下部周囲と地盤との間に塞ぎ材が設けられていることを特徴とする請求項１に記載の避難用構造物。
【請求項３】
前記貯液槽は、板状部材を前記支柱間に前記板状部材の端部を支柱に接合させて配設することにより前記貯液槽の側壁を構成したことを特徴とする請求項１又は２に記載の避難用構造物。
【発明の詳細な説明】
【技術分野】
【０００１】
本発明は、津波や洪水などの災害発生時に、高所に避難するための避難用構造物に関するものである。
【背景技術】
【０００２】
従来、津波が発生した際に、避難するための構造物として、複数の支柱を立設し、上部に避難用ステージを設けた避難用構造物がある（例えば、特許文献１参照）。このような避難用構造物は、支柱間を津波が通過することができるため、津波の圧力を比較的受けにくいという利点がある。
【先行技術文献】
【特許文献】
【０００３】
【特許文献１】特許第３７０２３９１号公報
【発明の概要】
【発明が解決しようとする課題】
【０００４】
しかしながら、津波によって発生した漂流物が支柱に引っ掛かった場合、津波の圧力がその漂流物を通して作用することにより、避難構造物の特に基礎部分に想定よりも大きな力が加わり、基礎から柱が分離し、或いは、柱が基礎ごと地盤から引き抜かれて、避難構造物が押し流されるという恐れがあった。また、このような場合を予め想定し、支柱及び基礎を深く埋め込むなどの対応も考えられるが、費用が嵩むという問題があった。
【０００５】
そこで、本発明はこのような従来の問題に鑑み、比較的安価に製造でき、漂流物が引っ掛かった際にも押し流され難い避難用構造物の提供を目的とする。
【課題を解決するための手段】
【０００６】
上述した課題を解決し、所期の目的を達成するための本発明にかかる避難用構造物は、複数の支柱と、該支柱の上部に支持された避難用ステージと、該避難用ステージに昇降するための昇降手段とを備えた避難用構造物であって、前記支柱下部に該支柱と一体に貯液槽を設けたことを特徴とする。
【０００７】
また、本発明にかかる避難用構造物は、上記構成に加えて、前記貯液槽は、地盤上に設置され、前記貯液槽の下面と地盤との間に水が入り込むことを防止するように、前記貯液槽下部周囲と地盤との間に塞ぎ材が設けられていることを特徴とする。
【０００８】
また、本発明にかかる避難用構造物は、上記構成に加えて、前記貯液槽は、板状部材を前記支柱間に、前記板状部材の端部を支柱に接合させて配設することにより前記貯液槽の側壁を構成したことを特徴とする。
【発明の効果】
【０００９】
本発明にかかる避難用構造物は、支柱下部に支柱と一体に貯液槽を設けているので、貯液槽に液体を満たすことにより貯液槽部分が錘となり、漂流物が避難用構造物に引っ掛かった際であっても避難用構造物が押し流されることを防止できる。また、水等の安価な液体が貯液槽に満たされて、貯液槽内部から外方に向かって水圧がかかることで、この水が、側板に対する構造的な補強材ともなる。そのため津波圧力がかかる側板を厚くすることなく、コストパフォーマンスに優れる。
【図面の簡単な説明】
【００１０】
【図１】図１は、本発明の実施の形態にかかる避難用構造物を示す斜視図である。
【図２】図２は、上述の避難用構造物の側断面図である。
【図３】図３は、上述の避難用構造物の平断面図である。
【図４】図４は、上述の避難用構造物の下部構造の他の例を示す断面図である。
【図５】図５は、同上の部分断面図である。
【図６】図６は、同上の平断面図である。
【発明を実施するための形態】
【００１１】
図１は、本発明における避難用構造物の実施例を示している。この避難用構造物１は、基礎２と、貯液槽３と、支柱４と、避難用ステージ５と、昇降手段６とを有している。基礎２は、所謂布基礎であり、地盤Ａに設置されている。基礎２は、地中に栗石を敷き詰めてなる栗石部２ｂと、栗石部の上部に形成され、地面上に表出する鉄筋コンクリート製のコンクリート部２ａとから構成されている。基礎２は、平面視略矩形の枠状に形成されている。この基礎２の四隅に支柱４が立設されている。また、これらの支柱４と一体となるように貯液槽３が形成されている。
【００１２】
支柱４は、貯液槽３部分である第一支柱部４ａと、その上の避難用ステージ５を支える第二支柱部４ｂとを有している。第一支柱部４ａは、基礎２上に立設され、貯液槽３と一体化されている。第一支柱部４ａは、その下端部が基礎２にアンカーボルト８を介して固定されている。第一支柱部４ａの上端部には、第二支柱部４ｂが同軸配置に接続され、上方に延設されている。第二支柱部４ｂの上端部には、避難用ステージ５が支持されている。第一支柱部４ａと第二支柱部４ｂは、鋼管製であるが、Ｈ型鋼などの型鋼でもよい。尚、第一支柱部と第二支柱部が一本ものであってもよい。
【００１３】
貯液槽３は、略直方体状に形成されている。貯液槽３は、その側壁を構成する側壁板３ａ（板状部材）と、底部を構成する底板３ｂと、天井を構成する天板３ｃとを有している。側壁板３ａと底板３ｂと天板３ｃは、それぞれ鋼板製である。貯液槽３は、基礎２の上面に底板３ｂを支持させるようにして設置されている。
【００１４】
また、貯液槽３は、その直方体を構成する辺のうち上下方向に伸びる四辺部分を第一支柱部４ａが構成するように形成されている。即ち、各側壁板３ａは、略矩形状に形成され、隣り合う第一支柱部４ａ間に、端部を第一支柱部４ａに接合させて配設されている。また、底板３ｂは、略矩形状に形成され、矩形を構成する四辺部分が側壁板３ａの下端部と接合され、矩形の四隅部分は、第一支柱部４ａと接合されている。天板３ｃは、略矩形状に形成され、四辺部分が側壁板３ａの上端部と接合されているとともに、四隅部分が、第一支柱部４ａと接合されている。このようにして、天板３ｃと底板３ｂと４つの側壁板３ａと４つの第一支柱部４ａによって囲まれた貯液空間が形成され、貯液可能となっている。
【００１５】
また、貯液槽３には、液体を外部から導入する導入口と液体を外部に排出する排出口が備えられている。また、天板３ｃには、天板３ｃの表裏を貫通する点検口が設けられている。点検口には、点検口を開閉可能な蓋が設置されている。
【００１６】
避難用ステージ５は、人が乗る略板状のステージ部５ａと、このステージ部５ａ上に囲いとして設置されている手摺部５ｂとを有している。ステージ部５ａは、略矩形状に形成され、第二支柱部４ｂの上端部に四隅を支持させるようにして配設されている。避難用ステージ５は、貯液槽３とは、上下方向に所定の間隔を空けるようにして配設されている。尚、貯液槽３と避難用ステージ５とを間隔を空けずに一体に設けてもよい。即ち、避難用ステージ５のステージ部５ａを貯液槽３の天板として使用してもよい。つまり、貯液槽３の上部を避難用ステージ５としてもよい。
【００１７】
昇降手段６は、地上と避難用ステージ５上とを行き来する手段であり、本実施の形態においては、梯子を使用している。昇降手段６は、貯液槽３の側面及び避難用ステージ５の側面に支持させて、地上付近から避難用ステージ５に至るように配設している。昇降手段６は、避難用構造物１の側面の内３つの面に設置している。また、避難用構造物１の側面のうち、昇降手段６が設置されていない面には、貯液槽３上部に上るための梯子７を設置している。
【００１８】
貯液槽３は、基礎２の上面と貯液槽３の下面との間にほとんど隙間が生じないように設置されている。これは、基礎２を、地盤Ａと貯液槽３の底板３ｂとの間の隙間を塞ぐ塞ぎ材とすることで、底板３ｂ下に津波等による水が回りこむのを防ぎ、もって底板３ｂに揚圧力が働くことを防止している。
【００１９】
上述のように構成された避難用構造物１は、貯液槽３内に液体を溜めることにより、貯液槽３が錘となり、避難用構造物１に漂流物が引っ掛かった際にも、避難用構造物１が津波によって押し流されることを防止することができる。また、貯液槽３を支柱４の下部、即ち、避難用構造物１の下部に設けているので、避難用構造物１の重心の位置が低くなり、避難用構造物１が転倒することを防止できる。更に、例えば、貯液槽３を受水槽とした場合、受水機能と避難機能を一つの構造物で兼ねることができるので、コストパフォーマンスに優れる。また、災害時には、受水槽の水を飲料水等に使用できるので、避難用施設としての機能も優れる。
【００２０】
また、貯液槽３の側壁板３ａや底板３ｂをアンカーボルト等を使用して基礎２と一体となるように形成すれば、更に、津波に対する強度を高めることができる。
【００２１】
尚、本実施例においては、支柱４の数は４本であるが、２本以上であればよい。また、支柱４と貯液槽３を一体化する際には、溶接によって一体化してもよいし、ボルトで接合することにより一体化してもよい。
【００２２】
尚、上述の実施の形態においては、基礎２として布基礎を使用しているが、基礎２の代わりに独立基礎１１を使用してもよい。図４〜図６に基づき、この独立基礎１１を使用した場合について説明する。独立基礎１１は、鉄筋コンクリート製で略直方体状に形成され、下部が地盤Ａ中に埋設され、上部が地盤Ａから露出するように設置されている。この独立基礎１１を四隅に設置し、その上に支柱４を立設している。独立基礎１１間には、補強材１３がそれぞれ掛け渡されている。この補強材１３によって、底板３ｂの矩形状底面の四辺部分を支持している。補強材１３としては鋼製角パイプを使用している。底板３ｂの底面は、独立基礎１１と補強材１３によって支持されている。
【００２３】
貯液槽３下部周囲には止水材１２を設置して、補強材１３と地盤Ａとの隙間を塞いでいる。止水材１２は、コンクリート製の止水板である。止水材１２は、下部が地中に埋設され、上部が補強材１３の側面及び貯液槽３下部の側面に接するように配設されている。止水材１２は、独立基礎１１間に貯液槽３の側面に沿って複数並べて配設され、貯液槽３下の空間を閉じた空間となるようにしている。従って、補強材１３と底板３ｂ、独立基礎１１と底板３ｂの間は、水が大量に入り込むような隙間は無い。更に、止水材１２によって、補強材１３と地盤Ａとの間を塞いでいるので、津波等が来た際に、底板３ｂ下に水が回り込み、底板３ｂに揚圧力が働くことを防止できる。尚、止水材１２としては、止水板ではなく止水シートを使用しても良い。また、部材間の隙間を完全に塞ぐようにシール材を用いて止水処理してもよい。貯液槽３下部周囲と地盤Ａとの間に塞ぎ材を設けて底板３ｂ下に水が回りこまないようにすればよい。
【符号の説明】
【００２４】
Ａ      地盤
１      避難用構造物
２      ベタ基礎
３      貯液槽
４      支柱
５      避難用ステージ
【図１】
2010285801.tif 000003
【図２】
2010285801.tif 000004
【図３】
2010285801.tif 000005
【図４】
2010285801.tif 000006
【図５】
2010285801.tif 000007
【図６】
2010285801.tif 000008